(57)【要約】【課題】  正面だけでなく、前方や後方からもきわめて視認性がよく、製造が容易で廉価に提供できるとともに運搬や保管にも優れ、特に、構造使い捨ての手提げ袋に使用するような場合にも適用可能で、更に、夜間に買物をした場合にだけ発光体を取り付けるなどのように発光体の取付けを適宜に選択することができる発光手提げ袋を提供する。【解決手段】  内部に収容部２１を形成するとともに一部に開閉部２２を有する袋本体２の上端縁２３，２３に提手３，３を突出形成した手提げ袋１において、提手３，３または袋本体２の上端縁２３，２３の少なくとも一方に棒状または帯状、或いは面状の発光体４を付設した。【選択図】  図１
2007151822.tif 000002
【特許請求の範囲】
【請求項１】
内部に収容部を形成するとともに一部に開閉部を形成する袋本体の上端縁に提手を突出形成し、前記提手または袋本体における上端縁の少なくとも一方に発光体を取り外し可能に付設したことを特徴とする発光手提げ袋。
【請求項２】
前記提手が袋本体と別体に形成されている請求項１記載の発光手提げ袋。
【請求項３】
前記発光体が前記提手または上端縁に形成された止着手段を介して着脱自在に付設されている請求項１または２記載の発光手提げ袋。
【請求項４】
前記発光体が全体として可撓性を有する棒状或いは帯状の化学発光体または可撓性を有する棒状或いは帯状の基体に複数個の発光ダイオードを連設した発光体である請求項１，２または３記載の発光手提げ袋。
【請求項５】
前記止着手段が、前記提手または袋本体における上端縁に沿って形成される少なくとも一部が透光性を有する筒体であって、それらの一部に発光体を挿入するための差し込み口を有する請求項４記載の発光手提げ袋。
【請求項６】
前記止着手段が前記提手に形成された弾性係止片である請求項４記載の発光手提げ袋。
【請求項７】
前記発光体が面状発光体である請求項１，２または３記載の発光手提げ袋。
【発明の詳細な説明】
【技術分野】
【０００１】
本発明は、提手を有する包装用紙袋、鞄、バッグなどの手提げ袋に関するものであり、特に、発光体を付設した手提げ袋に関するものである。
【背景技術】
【０００２】
従来、発光体を付設することにより夜間における装飾的効果の向上や警告や安全性の確保を考慮した各種の手提げ袋が知られており、例えば、登録実用新案登録第２５５９１３９号公報、登録実用新案登録第３０４５９４３号公報、登録実用新案登録第３０６６２２１号公報、特開２００１−２０４５３０号公報に提示されている。
【０００３】
ところが、前記従来の発光手提げ袋は、収容部である袋本体の部分に発光体を配置したものであり、使用状態では基本的に袋本体の正面、即ち横方向から視認することになり特に夜間における交通事故の防止などのように視覚的効果を必要とする前方や後方からは殆ど確認することができず、特に、手に提げたときには袋本体は足下に位置するので更に視認性が悪く、歩行中にはその効果を殆ど発揮し得ないことになる。
【０００４】
また、前記従来の発光手提げ袋は発光体である発光ダイオードを袋本体の表面に付設してその電源や制御部を袋本体の内部に収容するものであり、構造が複雑であることから製造が困難でコストも高く保管や運搬にも不便であるなどの問題もある。
【０００５】
加えて、前記従来の発光手提げ袋は、発光体が袋本体に一体的に装着されているものであり、手提げ鞄やハンドバックのように比較的高価で長期にわたって使用するタイプに限られ、例えば、商店での買物時などにおいて使用される所謂使い捨ての手提げ袋に使用するには適しておらず、更に、夜間に買物をした場合にだけ発光体を取り付けたり、昼間など発光手段を必要としないときには取り付けないとか発光体の取付けを適宜に選択することができず、発光体を有する手提げ袋とは別に発光体を有していない普通の手提げ袋の両方を用意しておく必要がある。
【特許文献１】登録実用新案登録第２５５９１３９号公報
【特許文献２】登録実用新案登録第３０４５９４３号公報
【特許文献３】登録実用新案登録第３０６６２２１号公報
【特許文献４】特開２００１−２０４５３０号公報
【発明の開示】
【発明が解決しようとする課題】
【０００６】
本発明は、上記のような問題点を解決しようとするものであり、正面だけでなく、前方や後方からもきわめて視認性がよく、製造が容易で廉価に提供できるとともに運搬や保管にも優れ、特に、構造使い捨ての手提げ袋に使用するような場合にも適用可能で、更に、夜間に買物をした場合にだけ発光体を取り付けるなどのように発光体の取付けを適宜に選択することができる発光手提げ袋を提供することを課題とする。
【課題を解決するための手段】
【０００７】
そこで、前記課題を解決するためになされた本発明である発光手提げ袋は、内部に収容部を形成するとともに一部に開閉部を有する袋本体の上端縁に提手を突出形成した手提げ袋において、前記提手または袋本体の上端縁の少なくとも一方に棒状または帯状、或いは面状の発光体を付設したことを特徴とする。
【０００８】
本発明では発光体を提手や袋本体の上端縁に付設したことにより、手提げ袋を地面や床面更には椅子やテーブルなどに載置した場合はいうまでもなく手に提げている場合にも本人を含めて近隣の第三者の視界に自然に入るので充分に視覚効果を発揮させることができ、殊に、前方や後方からの視認性にも優れ、安全性にも優れている。
【０００９】
殊に、発光体を棒状または帯状とする場合には、大きな面積の発光体を用いなくても、一定の長さや幅にわたって発光するので視認性に優れているとともに、提手や袋本体の上端縁に沿って付設することが可能であり、デザイン的にも違和感なく優れたものとすることができる。
【００１０】
また、本発明を提手と袋本体とが別体に形成されている手提げ袋に適用した場合には、提手と袋本体とを別々に選択することができるので例えば店舗などで用いる包装用紙袋のように多量に使用する場合に昼間と夜間とで提手と袋本体との組み合わせを変えるなど便利で経済的な使用をすることができ、提手と袋本体とを選択して組み合わせて使用することで、例えば１種類の発光体を付設した提手を用意しておくことで多数種類の袋本体に適用することもできるなどきわめて便利である。
【００１１】
更に、本発明において、発光体が提手または上端縁に形成された止着手段を介して着脱自在に付設されている場合には、使用時に発光体を付設することができるので昼間などのように不必要な場合に付設してしまうという無駄を省くことができるとともに使用後に発光体と手提げ袋とを別々に管理することができ、きわめて使い可って勝ってがよく、特に、発光体を手提げ袋から取り外せるので再度の使用や廃棄処理の面で有利である。
【００１２】
更にまた、本発明において、発光体が全体として可撓性を有する化学発光体または複数個の発光ダイオードを連設した照明具である場合には、前述の如く発光が顕著で装飾的効果や警告的な効果等を充分に発揮することができる。殊に、発光体として化学発光体を用いた場合には包装用の手提げ袋のように一時的な使用で且つ廉価に提供するものに最適である。
【００１３】
加えて、発光ダイオードを用いたものは電源の補充により継続的に使用することができるばかりか本発明は視認性に優れているので例えば昼夜間を問わずに携帯電話の着信通知の補助として使用することなど多くの用途に供することが可能である。
【発明の効果】
【００１４】
本発明によると、従来の発光提げ袋が有していない視認性を有しているので特に夜間や暗所における装飾効果や警告効果を充分に発揮することができる。また、構成も複雑でなく、廉価に提供可能であることから、一般的な鞄やバックなどに限らず店舗において多量に使用される包装用の手提げ袋についても好適である。
【発明を実施するための最良の形態】
【００１５】
次に、図面を参照して本発明を実施するための最良の形態を説明する。
【００１６】
図１および図２は、本発明における発光手提げ袋における第１の実施の形態についての概略を示すものであり、発光手提げ袋１は、内部に収容部２１を形成するとともに上部に開閉部２２を開口する有底箱状の袋本体２の上端縁２３，２３に提手３，３を突出形成したものであり、例えば店舗における包装用などの用途に供される。
【００１７】
更に、詳しく説明すると、袋本体２は例えば、用途に応じた適宜の厚さを有する紙、不織布、ポリエチレンフィルムなどの合成樹脂などのシート材により例えば中央において折り畳み可能に形成された従来の手提げ袋に用いられているのとほぼ同様である。また、袋本体２を形成する両側面２４，２４に、逆Ｕ形の一対の提手３，３がそれらの両端部を例えば接着、溶着、逢着などの適宜の手段により止め具２５，２５を介して止着されて上端縁２３，２３の上方へと突出させている。
【００１８】
前記各提手３は、例えば、適宜の可撓性を有するポリエチレンやアクリル樹脂などの透光性を有する軟質の合成樹脂により管状に形成されているとともに一部に切り込み或いは孔からなる発光体４の差込部３１が形成されている。
【００１９】
ところで、本実施の形態における発光体４は、従来周知の適宜の可撓性を有する筒状の外側容器４１内に例えば蛍光液４２と、酸化液４３を収容した破壊性容器４４とを密封したもので、使用時に前記破壊性容器４４を破壊して蛍光液４２と、酸化液４３とを反応させて生じるルミネッセンス反応により発光させるものであり、特に外側容器４１は前記発光手提げ袋１の提手３の内径よりも小さい外径を有するとともに少なくとも提手３の止着手段５，５間の長さよりも短い長さの棒状を呈している。
【００２０】
以上の構成を有する本実施の形態は、発光体４を装着しなくても従来のこの種の手提げ袋としての機能を有しているのでそのまま使用することができ、特に、発光体４を付設したい場合には、始めに外側容器４１を屈曲させて破壊性容器４４を破壊して蛍光液４２と酸化液４３とを反応させることで発光体４を発光させる。次いで、発光状態にある発光体４を提手３に形成した差し込み口３１から差し込んで挿入し管の内側に付設すればよい。
【００２１】
本実施の形態は、提手３，３内に棒状の発光体４が挿入・付設されるので袋本体２の上端縁２３，２３から突出させた逆Ｕ形部分が発光する。そのため、床や地面その他テーブルなどにおいた場合は勿論、使用者が手に提げた場合など如何なる姿勢の状態にあっても発光状態が本人を含めて近隣の者にも明確に視認することができ、特に、提手３，３を手に提げたり肩に掛けたりしたときにあっても側方だけでなく前方及び後方からも視認し易く充分な装飾効果や警告効果を発揮させることができる。
【００２２】
また、本実施の形態は、使用前には発光体４が手提げ袋と別であることから、発光体４を含めて別に保管することができるとともに同様な提手を有することにすれば異なる袋本体２についても同様な発光体４を用いて実施することができ、また、発光体４は専用のものを用いなくても提手との関係で物理的に合致するものであれば市販されている汎用のものも利用することができ、経済的に有利であり、殊に、本実施の形態では発光体４はその殆どが提手２の内部に挿入されてしまうので安定よく収納され、途中で抜け落ちたりずれたりする心配がない。
【００２３】
更にまた、本実施の形態は提手３自体が筒状で差込口３１を一部に形成しただけの簡単な構成でよく、製造も容易で、価格も安くて済み経済的である。特に、使用後はそのまま或いは発光体４を抜き取って廃棄すればよいが、発光体４を引き抜いた後も通常の手提げ袋として再使用することが可能である。
【００２４】
図３は前記実施の形態における提手３の両端部を袋本体２に止着させる具体的な例を示すものであり、適宜の剛性を有する例えば塩化ビニルのような透光性を有する軟質合成樹脂材により形成された筒状で一部に差込口３１を形成した提手３の端部を折り返すとともに扁平状に潰した状態で、更に必要であれば袋本体２に形成した挿通孔２６，２６に通過させてかしめ具からなる止着手段２５により袋本体２に一体的にかしめるものであり、きわめて容易に筒状の取手を付設することができるばかりか取付強度も充分で経済的にも優れている。
【００２５】
尚、図４は前記提手３の断面図であり、単なる断面円形の管状でなく、適宜扁平状としたので持ちやすく、外観におけるデザインも優れており、内部に挿入した発光体４の発光が接合部において乱反射して輝きが増す。特に、本実施の形態では、提手３の内側面（または外側面）に長手方向に延びる複数の突条３０を形成したのでより発光が強調される。
【００２６】
図５は本発明の第２の実施の形態の要部を示すものであり、全体の構成並びに作用・効果については前記図１及び図２に記載した第１の実施の形態とほぼ同様であるが、提手３に形成した発光体４の差し込み口３１が提手３の裏面に形成した適宜の幅と長さを有する隙間により形成され、この隙間状の差込部３１の長さ方向の開口端から発光体４の両端を差し込み支持させることにより提手３に発光体４を付設させるものであり、更に、取り扱いが容易である。
【００２７】
図６および図７は本発明の第３の実施の形態を示すものであり、本実施の形態では袋本体２の開閉部２２における上端縁２３，２３に沿って前記各実施例において示したと同様の化学発光体からなる棒状の発光体４が付設されている点が前記各実施の形態と異なる。
【００２８】
更に詳しく説明すると、各上端縁２３，２３にはポリエチレンやアクリル樹脂などの透光性を有する軟質または硬質の合成樹脂により管状に形成されているとともにそれらの少なくとも一端を開放して発光体４の差し込み口とした止着手段５が袋本体２と一体的に或いは別体に形成されている。
【００２９】
本実施の形態は、前記各実施の形態と同様に使用時に発光体４を発光させて差込部３１から止着手段５に差し込みことで付設すればよいが、本実施の形態では袋本体２の上端縁２３，２３は直線的である場合が多く、予め発光させる前の発光体４を付設させておくことも可能であり、この場合には、発光体４を付設する手間を要さない。
【００３０】
更に、図８および図９は本発明の第４の実施の形態を示すものであり、本実施の形態では袋本体２と提手３，３とが別体に形成されているとともに各提手３の両端に例えぱ従来周知のばワンタッチ式の止め具３２，３２が形成されており、これらを袋本体２の各上端縁２３に止着するものである。そして、これらの提手３の開いた状の裏面に発光体４を着脱自在に係着させる適宜の弾性を有する一対の係着片３３からなる止着手段５が一体的に形成されている。
【００３１】
本実施の形態は更に、提手３，３と袋本体２とを別体にしたので保管に便利であるとともに、各種の袋本体２との組み合わせも容易である。
【００３２】
図１０は本発明の第５の実施の形態を示すものであり、全体の構成は前記図８および図９に示した第４の実施の形態とほぼ同様であるが、提手３の一端が袋本体２の側面２４に回転可能に予め止着されている点が異なる。
【００３３】
従って、本実施波の形態では使用時に提手３の何れか一端を袋本体２に止着させればよく、使用時の作業が容易である。
【００３４】
更にまた、図１１は本発明の第６の実施の形態を示すものであり、提手３は前記図３に示したものと同じく適宜の剛性を有する例えば塩化ビニルのような透光性を有する軟質合成樹脂材により形成された筒状で一部に差込口３１を形成した提手３の端部を折り返すとともに扁平リング状の係止リング３３を介して扁平状に潰した状態でかしめ具からなる止め具２５によりかしめた構成を有し、これを、前記図８および図９に示した実施の形態の如きを袋本体２の各上端縁２３に止着した従来周知のば例えばポリプレンのような硬質の合成樹脂により形成されたワンタッチ式の止め具３２に係止したものである。
【００３５】
本実施の形態によれば、前記図３に示したものと同じく内部に装着した発光体４の発光を充分に外部に放出させて優れた視認性を発揮するとともに、前記図８および９に示した実施の形態のようにワンタッチ式の止め具３２により袋本体２に簡単且つ迅速に取付付けることができ、特に、前記図３や図８および９に示した実施の形態と異なり提手３と止め具３２とを別体としてあるので持ちやすい、発光性にすぐれているなどの提手３に要求される性質と、簡単且つ強固に止着するという止め部３２に要求される性質とを併有させることができる。
【００３６】
図１２は、本発明の第７の実施の形態を示すものであり、全体の構成は前記図図６および図７に示した本発明の第３の実施の形態とほぼ同様であるが、発光体４が複数個の発光ダイオードを連設した筒状（または帯状）の照明具により形成されている点が異なる。
【００３７】
尚、本実施の形態における発光体４は発光ダイオードを発光させるための電源電池、各種制御部、スイッチなどが一体的に組み込まれているものが好ましく（図示せず）、単体として前記各実施の形態で示した他の実施の形態においても化学発光体からなる発光体４と同様に用いることができる。
【００３８】
本実施の形態は、発光体４として発光ダイオードを用いたので発光の制御を自由に設定できる利点を有しており、更に、電子的な制御が可能であることから例えば携帯電話における着信の補助表示等、装飾や警告効果だけでなく多くの用途に供することもできる。
【００３９】
また、図１３は本発明の第８の実施の形態を示すものであり、全体的には前記各実施の形態と同様であるが、内部に発光体４を挿入する管状の提手３（または袋本体２の上端縁２３に付設した管状の止着手段５）の一部について遮蔽または透光率や色彩などを変化させて模様や文字などを表示可能としたものであり、単に発光するだけでなく使用する店などのロゴやキャラクターなどをあしらうことにより更に興味あるものとすることができる。
【００４０】
更に、図１４は本発明の第９の実施の形態を示すものであり、前記各実施の形態が提手３または袋本体２の上端縁２３に付設した管状の止着手段５について棒状または帯状の発光体４を止着しているのに対して、図１４（ａ）に示すように前記図１乃至図５に示す止着具２５または図１４（ｂ）に示すように前記図８乃至図１３に示すワンタッチ式の止め具３２に面状の発光体４を例えば合成樹脂による凹凸嵌合により取り外し可能に付設したものであり、特に、袋本体２の上端縁２３に沿って発光体４を付設したことにより視認高価が上昇する。
【００４１】
尚、本実施の形態において使用される発光体４は、従来周知の面状の化学発光体や発光ダイオードを用いた照明具（図示せず）が利用でき、特に、発光体４は正面だけでなく側面についても発光するタイプが前方や後方からも視認し易いので好ましい。
【００４２】
以上は本発明の実施の形態の一部を示すものであり、本発明は袋本体２、提手３、発光体４を適宜選択することにより幅広い用途に利用することができるものである。
【図面の簡単な説明】
【００４３】
【図１】本発明の第１の実施の形態を示す一部を拡大した概略図。
【図２】図１に示した実施の形態について要部を示す拡大部分図。
【図３】図１に示した実施の形態の提手部分の異なる例についての要部を示す拡大部分図。
【図４】図３に示した実施の形態における提手部分の拡大横断面図。
【図５】本発明の第２の実施の形態を示す提手部分の拡大部分図。
【図６】本発明の第３の実施の形態を示概略図。
【図７】図６に示した実施の形態について要部を示す拡大図。
【図８】本発明の第４の実施の形態を示す概略図。
【図９】図８に示した実施の形態における提手部分の拡大図。
【図１０】本発明の第５の実施の形態を示す概略図。
【図１１】本発明の第６の実施の形態における提手部分を示す概略図。
【図１２】本発明の第７の実施の形態を示す概略図。
【図１３】本発明の第８の実施の形態における提手の部分拡大図。
【図１４】本発明の第９の実施の形態を示す部分拡大図。
【符号の説明】
【００４４】
１  発光手提げ袋、  ２  袋本体、  ３  提手、  ４  発光体、  ２５  止着手段、  ４６  発光ダイオード、  ２３  上端部、  ３１  差し込み口
【図１】
2007151822.tif 000003
【図２】
2007151822.tif 000004
【図３】
2007151822.tif 000005
【図４】
2007151822.tif 000006
【図５】
2007151822.tif 000007
【図６】
2007151822.tif 000008
【図７】
2007151822.tif 000009
【図８】
2007151822.tif 000010
【図９】
2007151822.tif 000011
【図１０】
2007151822.tif 000012
【図１１】
2007151822.tif 000013
【図１２】
2007151822.tif 000014
【図１３】
2007151822.tif 000015
【図１４】
2007151822.tif 000016